【手続補正書】
【提出日】令和1年7月30日(2019.7.30)
【手続補正１】
【補正対象書類名】明細書
【補正対象項目名】０００３
【補正方法】変更
【補正の内容】
【０００３】
ところで、この様に一対の上下ナットにより締め付け固定されたものは、地震等の揺れを受けると、吊りボルトが吊りボルト挿通孔に遊挿状に挿入された状態であるため、上下ナットに緩みを生じ、甚だしくは、下ナットが外れて天井面全体の崩れ落ちを誘発する危惧がある。
そこで、特許文献１に開示されたような、緩み止めクリップ（２５）を、連結片部（２８）の上下に、上片部（２６）と下片部（２７）とが折曲された側面視コ字状に形成し、その上片部（２６）と下片部（２７）のそれぞれに、吊りボルトに嵌挿されるＵ字状の切欠き溝（２６ａ、２７ａ）を形成し、該切欠き溝（２６ａ、２７ａ）の内縁部に、吊りボルト（１１）のネジ溝に嵌合可能な係止縁（２９）を形成し、取付け板（１７）の横方向から挿入することによって、上下ナット（２０、１９）の緩みを防止するようにしたナットの緩み止めクリップ（２５）なるものが提案される。
【手続補正２】
【補正対象書類名】明細書
【補正対象項目名】０００９
【補正方法】変更
【補正の内容】
【０００９】
本発明は、上記のように構成したことにより、吊りボルトの下端部に、野縁受けハンガーを固定した上下ナットの緩みを規制する金具でありながら、上下ナットの上下面に対し、締結された吊りボルトへのネジ溝の配置態様が一定ではなく、かつ上下ナットの外周面同士が不一致であっても、ナット被嵌装着部を吊りボルト固定部の前面側から、上面固定片と上下ナットの外周面に対して非接触状態で吊りボルトに嵌挿セットすることができるので、上下ナットへの接触による影響を回避して、両者の締結状態をそのまま維持することができるだけでなく、セットする際に、その上面片は、上ナット面に当接させて下面片を下ナット面に密着セットさせる、謂わば、下面片の案内片としての機能と、吊りボルト固定部の上面固定片と上下ナットとの高さ幅の調整片としての機能を併せ持ち、下面片の下面側嵌挿溝だけを吊りボルトのネジ溝に係合操作すれば良いので、下面片が下ナット面に接触または近接する最適なネジ溝に対して、任意の角度方向から下面側嵌挿溝の両溝側縁を係合セットさせて、係合がきつめである場合にもナット被嵌装着部を首振り動作させながら、下面側嵌挿溝を溝底縁側に強制的に押し込み操作して確実に係合させた状態でセットすることができる。しかも、このセット状態から、垂下片の後面側にそれぞれ帯状固定片同士を折曲重合させた引き寄せ状態で、強固に抜け止め固定することができるだけでなく、板厚や大きさなどの形状の異なる種々の野縁受けハンガーが用いられた天井下地であっても採用することができ、地震等の振動を受けても、ネジ溝に係合した固定状態を確実に維持して、上下ナットのガタツキや締結の位置ズレなどの発生を防止した状態で緩みを規制することができ、吊りボルトへの野縁受けハンガーのナット止め状態を長期に亘って好適に維持し、良好な吊持状態を恒久的に保持することができる。
【手続補正３】
【補正対象書類名】明細書
【補正対象項目名】００１０
【補正方法】変更
【補正の内容】
【００１０】
【図１】本発明の実施形態に係る天井下地を示す概略全体説明図である。
【図２】本発明の実施形態に係るナットの緩み止め金具であって、（Ａ）は正面図、（Ｂ）は右側面図、（Ｃ）は背面図、（Ｄ）は平面図、（Ｅ）は底面図である。
【図３】本発明の実施形態に係るナットの緩み止め金具の斜視図である。
【図４】ナットの緩み止め金具の取り付け手順と取り付け状態を示す説明図であって、（Ａ）はセット前の側面図、（Ｂ）は挿入セット時の側面図、（Ｃ）はセット後の底面図、同じく（Ｄ）は正面図、（Ｅ）は平面図である。
【図５】下ナット下面から露出する吊りボルトのネジ溝に対する下面側嵌挿溝の係合状態を示す説明断面図である。
【図６】下面側嵌挿溝の他の実施形態を示し、（Ａ）はナットの緩み止め金具の正面図、（Ｂ）は下面側嵌挿溝の吊りボルトのネジ溝に対する係合状態を示す説明断面図である。
【手続補正４】
【補正対象書類名】明細書
【補正対象項目名】００１９
【補正方法】変更
【補正の内容】
【００１９】
また、ナット被嵌装着部６ａには、下面片６３の両側に下面側嵌挿溝６３１を挟んで、下ナット２２の外周面と上面固定片５１１に垂下折曲された垂下片５１２に非接触状態で対向配置して立上り折曲形成された一対の立上り片６４、６４を介して、それぞれの立上り片６４、６４から下面片６３よりも外方に延出される一対の帯状固定片６５、６５が形成される。
帯状固定片６５は、立上り片６４に対してハ字状に任意角度をもって拡開折曲されており、上面側嵌挿溝６２１と下面側嵌挿溝６３１を、吊りボルト固定部５１の前面側（上面固定片５１１の先端側）から吊りボルト２に嵌挿してセットした際に、垂下片５１２の両端部に非接触状態で、その両側から突出する長さ幅を有し、この垂下片５１２から突出する帯状固定片６５、６５同士を、垂下片５１２の後面側にそれぞれ指圧力をもって折曲重合させて、ナット被嵌装着部６ａを吊りボルト固定部５１に抜け止め固定できるようになっている。なお、折曲重合した際には、上面固定片５１１の両側に接触する幅をもって形成しても良い。
【手続補正５】
【補正対象書類名】明細書
【補正対象項目名】００２５
【補正方法】変更
【補正の内容】
【００２５】
図５（ｃ）は、ネジ溝２ａが図５（ａ）と表裏対称に位置する状態で下ナット２２の下面から露出した状態を示したものであり、裏面側のネジ溝２ａが、下ナット２２の下面から離間し、ネジ山が近接して露出しているので、左側下面片６３ａ側に角度ズレさせて挿入開始すると、左側下面片６３ａの先端側が下ナット２２の下面から離間する方向に、右側下面片６３ｂの先端側が下ナット２２の下面に圧着する方向に、それぞれネジ溝２ａの捲線勾配に沿ってナット被嵌装着部６ａが傾きながらスムーズな係合が行え、しかる後、垂下片５１２と平行に位置させる。この様に係合挿入すると、かかるセット状態では、左側下面片６３ａ側の溝側縁が係合するネジ溝２ａの捲線勾配の溝ラインと、右側下面片６３ｂ側の溝側縁が係合するネジ溝２ａの捲線勾配の溝ラインとが同一ではなく、溝底縁がネジ山を跨いで一つ上側のネジ溝２ａに対する不連続な溝ラインに係合させることができ、下面側嵌挿溝６３１の溝底縁はネジ溝２ａに係合されない状態でセットされる。
【手続補正６】
【補正対象書類名】明細書
【補正対象項目名】００３０
【補正方法】変更
【補正の内容】
【００３０】
この密着状態から首振りさせつつ押し込み操作すれば、自ずと下面片６３が下ナット２２の下面に接触または近接する最適なネジ溝２ａに対して係合がなされ、係合操作を容易に行うことができるだけでなく、当該任意の角度方向から下面側嵌挿溝６３１の両溝側縁を、係合がきつめである場合にもナット被嵌装着部６ａを首振り操作させながら、下面側嵌挿溝６３１を溝底縁側に強制的に押し込み係合させ、緩み止め規制が確実になされた状態でセットすることができる。
しかも、このセット状態から、垂下片５１２の後面側にそれぞれ帯状固定片６５、６５同士を折曲重合させた引き寄せ状態で、強固に抜け止め固定することができるだけでなく、板厚や大きさなどの形状の異なる種々の野縁受けハンガーが用いられた天井下地であっても採用することができ、地震等の振動を受けても、ネジ溝２ａに係合した固定状態を確実に維持して、上下ナット２１、２２のガタツキや締結の位置ズレなどの発生を防止した状態で緩みを規制することができ、吊りボルト２への野縁受けハンガー５のナット止め状態を長期に亘って好適に維持し、良好な吊持状態を恒久的に保持することができる。
【手続補正７】
【補正対象書類名】明細書
【補正対象項目名】００３７
【補正方法】変更
【補正の内容】
【００３７】
また、下面片６３は、吊りボルト２に嵌挿したセット状態で、下面側嵌挿溝６３１の内周縁が、吊りボルト２のネジ溝２ａの捲線勾配に沿って係合するよう予め傾斜状に形成されているので、下面側嵌挿溝６３１の両溝側縁だけでなく溝底縁を含めた内周縁を、ネジ溝２ａの捲線勾配に沿って確実に係合させることができ、図６（Ｂ）に示すように、下ナット２２の下面と非当接状態でセットされた態様において、振動等の影響を受けて下ナット２２が緩みを生じても、天井下地全体に及ぼす影響が極めて軽微であり無視することができ、その係合位置で確実に下げ止まりして、下面片６３の下面側嵌挿溝６３１の周縁部分が下ナット２２の下面に面接し、ナット外れを防止することができる。なお、下面片６３の下ナット２２に対する面接には、下げ止まりによる面接を含む。